Podtech/llm-jp-corpus-v4-ja_patent huggingface dataset:
【手続補正書】
【提出日】平成30年5月24日(2018.5.24)
【手続補正１】
【補正対象書類名】特許請求の範囲
【補正対象項目名】全文
【補正方法】変更
【補正の内容】
【特許請求の範囲】
【請求項１】
除細動器又はＥＣＧモニタのうちの少なくとも１つを含む除細動器／モニタと、
着脱可能な接続によって、前記除細動器／モニタに動作可能に隣接するポーチモジュールと
を含む、モジュール式医療装置であって、
前記ポーチモジュールは、前記除細動器／モニタの動作を支援する少なくとも１つの付属品を格納するように構造的に構成される、
モジュール式医療装置。
【請求項２】
前記ポーチモジュールは、前記少なくとも１つの付属品を格納するための、少なくとも１つの格納コンパートメントを含む、請求項１に記載のモジュール式医療装置。
【請求項３】
前記ポーチモジュールは、前記少なくとも１つの格納コンパートメント内に格納された前記付属品の各々を固定するように構造的に構成された格納カバーを更に含む、請求項２に記載のモジュール式医療装置。
【請求項４】
前記格納カバーは、前記少なくとも１つの格納コンパートメントに対して開放位置と閉鎖位置との間で移行するように動作可能である、請求項３に記載のモジュール式医療装置。
【請求項５】
前記除細動器／モニタはプリンタを含み、
前記ポーチモジュールは前記プリンタの印刷動作を支援する用紙をガイドするように構造的に構成される、
請求項１に記載のモジュール式医療装置。
【請求項６】
除細動器又はＥＣＧモニタのうちの少なくとも１つを含む除細動器／モニタと、
前記除細動器／モニタに隣接するフレームを含むクレードルモジュールと、
前記クレードルモジュールの前記フレームに隣接するポーチモジュールと
を含む、モジュール式医療装置であって、
前記ポーチモジュールは、前記除細動器／モニタの動作を支援する少なくとも１つの付属品を格納するよう構造的に構成され、
前記ポーチモジュールは、前記フレームの側壁から伸びる格納カバーを含む、
モジュール式医療装置。
【請求項７】
前記クレードルモジュールは、前記ポーチモジュール内に格納された前記付属品の各々を固定するように構造的に構成された前記格納カバーを含む、請求項６に記載のモジュール式医療装置。
【請求項８】
前記格納カバーは、前記クレードルモジュールに対して開放位置と閉鎖位置との間で移行するように動作可能である、請求項７に記載のモジュール式医療装置。
【請求項９】
前記ポーチモジュールは、前記少なくとも１つの付属品を格納するための、少なくとも１つの格納コンパートメントを含む、請求項６に記載のモジュール式医療装置。
【請求項１０】
前記ポーチモジュールは、前記少なくとも１つの格納コンパートメント内に格納された前記付属品の各々を固定するように構造的に構成された格納カバーを更に含む、請求項９に記載のモジュール式医療装置。
【請求項１１】
前記格納カバーは、前記少なくとも１つの格納コンパートメントに対して開放位置と閉鎖位置との間で移行するように動作可能である、請求項１０に記載のモジュール式医療装置。
【請求項１２】
前記クレードルモジュールは、前記少なくとも１つの格納コンパートメント内に格納された前記付属品の各々を固定するように構造的に構成された格納カバーを含む、
請求項９に記載のモジュール式医療装置。
【請求項１３】
前記格納カバーは、前記少なくとも１つの格納コンパートメントに対して開放位置と閉鎖位置との間で移行するように動作可能である、請求項１２に記載のモジュール式医療装置。
【請求項１４】
前記除細動器／モニタはプリンタを含み、
複数の前記ポーチモジュールのうちの１つは前記プリンタの印刷動作を支援する用紙をガイドするように構造的に構成される、
請求項６に記載のモジュール式医療装置。
【請求項１５】
前記クレードルモジュールの前記フレームは、少なくとも部分的に前記除細動器／モニタを囲むように構造的に構成される、
請求項６に記載のモジュール式医療装置。
【請求項１６】
前記フレームは、前記側壁の反対側の別の側壁と、これら側壁の間に一体化された１つ又は複数の背面部又は底面部とを含む、請求項６に記載のモジュール式医療装置。
【請求項１７】
前記底面部は、ゴム補強部材又は空気圧縮補強部材の少なくとも１つを含む、請求項１６に記載のモジュール式医療装置。
【請求項１８】
前記底面部は、少なくとも１つのゴム止めを含む、請求項１６に記載のモジュール式医療装置。
【請求項１９】
前記ポーチモジュールの前記格納カバーは、前記格納カバーを閉鎖位置に保持する解除可能な接続を更に含む、請求項６に記載のモジュール式医療装置。
【請求項２０】
前記フレームは、前記側壁の反対側の別の側壁と、これら側壁を連結するための固定ストラップとを含む、請求項６に記載のモジュール式医療装置。
【手続補正書】
【提出日】平成30年5月17日(2018.5.17)
【手続補正１】
【補正対象書類名】特許請求の範囲
【補正対象項目名】全文
【補正方法】変更
【補正の内容】
【特許請求の範囲】
【請求項１】
ＭＲデバイスの検査ボリューム内に配置される物体のＭＲイメージング方法であって、
前記物体に、マルチエコーイメージングシーケンスを与えることによって、エコー信号を発生させるステップと、
前記エコー信号を収集するステップと、
収集された前記エコー信号からＭＲ画像を再構成するステップと、
を含み、
前記物体に、前記マルチエコーイメージングシーケンスの幾つかのショットを与え、各ショットによって、一連のエコー信号が発生し、
各エコー信号は、ｋ空間ラインに帰し、
（ｋｘ，ｋｙ）空間の一部において隣接して配置される幾つかのｋ空間ラインが、繰り返しサンプリングされ、前記幾つかのｋ空間ラインは、異なる順序で、また、繰り返し毎に異なる選択されたスピン条件で、サンプリングされる、方法。
【請求項２】
信号平均化が、前記幾つかのｋ空間ラインの前記繰り返しサンプリングによって行われ、ｋ空間は、中心ｋ空間部と、１つ以上の周辺ｋ空間部とに分割され、前記中心ｋ空間部における信号平均値の数が、前記１つ以上の周辺ｋ空間部における信号平均値の数よりも高く、前記中心ｋ空間部は、前記周辺ｋ空間部よりも高いｋ空間密度でサンプリングされる、請求項１に記載の方法。
【請求項３】
ｋ空間の少なくとも１つの部分は、可変密度でサンプリングされ、前記少なくとも１つの部分のサンプリング密度分布は、繰り返し間で異なる、請求項１又は２に記載の方法。
【請求項４】
繰り返しサンプリングされるｋ空間ラインの少なくとも幾つかは、ランダムな順序でサンプリングされる、請求項１乃至３の何れか一項に記載の方法。
【請求項５】
前記マルチエコーイメージングシーケンスは、スピンエコーシーケンスであり、そのうちの１つのショットは、
磁気共鳴の励起のための少なくとも１つのＲＦパルスと、
複数のリフォーカシングＲＦパルスと、
各エコー信号の周波数エンコーディングのための複数の切り替え磁場勾配と、
各エコー信号の位相コーディングのための複数の切り替え磁場勾配と、
を含む、請求項１乃至４の何れか一項に記載の方法。
【請求項６】
前記マルチエコーイメージングシーケンスは、勾配エコーシーケンスであり、そのうちの１つのショットは、
磁気共鳴の励起のための少なくとも１つのＲＦパルスと、
磁気共鳴をリフォーカスし、各エコー信号を周波数エンコーディングするための複数の切り替え磁場勾配と、
各エコー信号を位相エンコーディングするための複数の切り替え磁場勾配と、
を含む、請求項１乃至５の何れか一項に記載の方法。
【請求項７】
ｋ空間の少なくとも一部は、不完全にサンプリングされる、請求項１乃至６の何れか一項に記載の方法。
【請求項８】
動き情報は、前記繰り返しサンプリングされたｋｘラインから収集される前記エコー信号から導出される、請求項１乃至７の何れか一項に記載の方法。
【請求項９】
前記ＭＲ画像は、圧縮センシングを使用して、再構成される、請求項１乃至８の何れか一項に記載の方法。
【請求項１０】
前記マルチエコーイメージングシーケンスは、様々なエコー時間が各繰り返しにおいて選択されるＤｉｘｏｎシーケンスであり、前記収集されたエコー信号への水及び脂肪からの信号寄与は分離される、請求項１乃至９の何れか一項に記載の方法。
【請求項１１】
前記エコー信号は、２つ以上の異なるエコー時間において収集され、前記エコー信号は、各エコー時間において、前記ｋ空間ラインの異なる順序で収集される、請求項１０に記載の方法。
【請求項１２】
水及び脂肪からの前記信号寄与は、前記ＭＲ画像を再構成する前記ステップにおいて組み合わされる、請求項１０又は１１に記載の方法。
【請求項１３】
前記マルチエコーイメージングシーケンスは、反転回復時間後の励起ＲＦパルスが後に続く反転ＲＦパルスを含む反転回復シーケンスである、請求項１乃至１２の何れか一項に記載の方法。
【請求項１４】
検査ボリューム内に均一な静磁場を発生させる少なくとも１つの主磁石コイルと、前記検査ボリューム内の様々な空間方向において切り替え磁場勾配を発生させる幾つかの勾配コイルと、前記検査ボリューム内にＲＦパルスを発生させる及び／又は前記検査ボリューム内に配置される物体からのＭＲ信号を受信する少なくとも１つのＲＦコイルと、ＲＦパルス及び切り替え磁場勾配の時間的連続を制御する制御ユニットと、再構成ユニットとを含み、請求項１乃至１２の何れか一項に記載の方法を行う、ＭＲデバイス。
【請求項１５】
請求項１乃至１２の何れか一項に記載の方法を行うための命令を含む、ＭＲデバイス上で実行されるコンピュータプログラム。
【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
損傷を受けた筋肉及び／又は神経に苦しむ患者に関するリハビリテーションシステムであって、
損傷を受けた筋肉及び／又は神経を刺激する刺激ユニットと、
前記損傷を受けた筋肉又は神経が構成される前記患者の影響を受けた体部位の表現を表示するディスプレイと、
前記刺激ユニットにより提供される刺激と平行して及び一致して、前記影響を受けた体部位の前記表現において表される視覚的なキューを表示するよう、前記ディスプレイを制御する制御ユニットとを有し、
前記視覚的なキューが、前記損傷を受けた筋肉及び／又は神経の前記刺激を視覚的に示し、前記刺激と同時に供給され、前記損傷を受けた筋肉及び／又は神経の前記刺激の強度及び／又はタイプに基づいて動的に適合される、リハビリテーションシステム。
【請求項２】
前記刺激ユニットが、前記損傷を受けた筋肉及び／又は神経の触知的刺激を生成するアクチュエータを有する、請求項１に記載のリハビリテーションシステム。
【請求項３】
前記刺激ユニットが、前記影響を受けた体部分に前記刺激ユニットを付ける体取付け要素を有する、請求項１に記載のリハビリテーションシステム。
【請求項４】
前記体取付け要素が、前記患者の肢に着用されるよう構成されるベルト、ストラップ、バンド、ギア又はハーネスの１つを有する、請求項３に記載のリハビリテーションシステム。
【請求項５】
前記アクチュエータが、前記体取付け要素に構成されるか又はこれに埋められる、請求項３に記載のリハビリテーションシステム。
【請求項６】
前記アクチュエータが、前記損傷を受けた筋肉及び／又は神経を振動を用いて刺激する少なくとも１つの振動要素を有する、請求項２に記載のリハビリテーションシステム。
【請求項７】
前記アクチュエータが、前記損傷を受けた筋肉及び／又は神経を熱及び／又は冷たさを用いて刺激する少なくとも１つの熱要素を有する、請求項２に記載のリハビリテーションシステム。
【請求項８】
音を生成する音生成ユニットを更に有し、前記制御ユニットが、前記刺激ユニットにより提供される前記刺激と並行して音を生成するよう前記音生成ユニットを制御し、前記音は、前記損傷を受けた筋肉及び／又は神経の前記刺激を可聴形式で示す、請求項１に記載のリハビリテーションシステム。
【請求項９】
前記制御ユニットが、前記刺激ユニットにより提供される刺激の強度及び／又はタイプに基づき、前記音を適合するよう、前記音生成ユニットを制御する、請求項８に記載のリハビリテーションシステム。
【請求項１０】
前記制御ユニットが、アバターを表示するよう、前記ディスプレイを制御し、前記アバターは、前記影響を受けた体部分の前記表現を含む、請求項１に記載のリハビリテーションシステム。
【請求項１１】
前記患者の生体構造情報を受信する入力インタフェースを更に有し、前記制御ユニットが、前記患者の前記生体構造情報に基づき、前記アバターを適合するよう、前記ディスプレイを制御する、請求項１０に記載のリハビリテーションシステム。
【請求項１２】
前記刺激ユニットにより提供される前記刺激に対する前記損傷を受けた筋肉及び／又は神経の応答を検出する少なくとも１つの筋電図記録法センサを持つセンサユニットを更に有する、請求項１に記載のリハビリテーションシステム。
【請求項１３】
前記制御ユニットが、前記損傷を受けた筋肉及び／又は神経の前記応答のインジケーションを表示するよう、前記ディスプレイを制御する、請求項１に記載のリハビリテーションシステム。
【請求項１４】
損傷を受けた筋肉及び／又は神経に苦しむ患者のリハビリテーションに関する方法において、
前記患者の損傷を受けた筋肉及び／又は神経を刺激するステップと、
前記損傷を受けた筋肉又は神経が構成される前記患者の影響を受けた体部位の表現を表示するステップと、
刺激と並行して、及び一致して、前記影響を受けた体部分の前記表現に表される視覚的なキューを表示するステップとを有し、
前記視覚的なキューが、前記損傷を受けた筋肉及び／又は神経の前記刺激を示し、前記刺激と同時に供給され、前記損傷を受けた筋肉及び／又は神経の前記刺激の強度及び／又はタイプに基づいて動的に適合される、方法。
【手続補正書】
【提出日】平成30年3月2日(2018.3.2)
【手続補正１】
【補正対象書類名】特許請求の範囲
【補正対象項目名】全文
【補正方法】変更
【補正の内容】
【特許請求の範囲】
【請求項１】
遠隔操作アセンブリと；
１又は複数のプロセッサを含む処理ユニットと；を有し、
前記処理ユニットは：
イメージング器具の光学軸に対して０°以外の視野角を有する、前記遠隔操作アセンブリに結合される前記イメージング器具のためのロール位置インジケータを受信し；
第１のロール位置で前記遠隔操作アセンブリに結合された前記イメージング器具から第１の画像データを取得し；
第２のロール位置で前記遠隔操作アセンブリに結合された前記イメージング器具から後の画像データを取得し；且つ
前記第１のロール位置と前記第２のロール位置との間の前記イメージング器具のロール運動を前記第１の画像データ及び前記後の画像データの提示の間の遷移と整合させる；
ように構成される、
医療イメージングシステム。
【請求項２】
前記第１の画像データ及び前記後の画像データの前記提示の間の前記遷移は、連続的である、
請求項１に記載の医療イメージングシステム。
【請求項３】
前記第１の画像データ及び前記後の画像データの前記提示の間の前記遷移は、離散的である、
請求項１に記載の医療イメージングシステム。
【請求項４】
前記処理ユニットはさらに、前記ロール位置インジケータに基づいて前記第１の画像データ又は前記後の画像データから回転された画像を生成するように構成される、
請求項１乃至３のいずれか１項に記載の医療イメージングシステム。
【請求項５】
前記回転された画像は、約１８０°だけ回転され、
前記第１のロール位置と前記第２のロール位置との間のロール角度は、約１８０°である、
請求項４に記載の医療イメージングシステム。
【請求項６】
前記イメージング器具は、第１及び第２の画像ソースを含む立体イメージング器具であり、
前記第１の画像データ及び前記後の画像データの前記提示の間の前記遷移は、前記第１の画像ソース及び前記第２の画像ソースを交換することを含む、
請求項１乃至５のいずれか１項に記載の医療イメージングシステム。
【請求項７】
前記処理ユニットはさらに：
前記第１の画像データ又は前記後の画像データの一方からの回転された画像、及び
前記第１の画像データ又は前記後の画像データの他方からの回転されていない画像、
を含む一連の画像を生成するように構成される、
請求項１乃至６のいずれか１項に記載の医療イメージングシステム。
【請求項８】
前記処理ユニットはさらに、前記第１のロール位置と前記第２のロール位置との間の第３のロール位置で前記遠隔操作アセンブリに結合された前記イメージング器具から第３の画像データを取得するように構成され、前記一連の画像は、前記第３の画像データから生成された画像を含む、
請求項７に記載の医療イメージングシステム。
【請求項９】
前記処理ユニットはさらに、前記ロール位置インジケータに基づいて前記第１の画像データ又は前記後の画像データから回転動画を生成するように構成される、
請求項１乃至８のいずれか１項に記載の医療イメージングシステム。
【請求項１０】
イメージングの方法であって：
遠隔操作アセンブリに結合されるイメージング器具のためのロール位置インジケータを受信するステップであって、前記イメージング器具は、前記イメージング器具の光学軸に対して０°より大きい視野角を有する、ステップ；
第１のロール位置で前記遠隔操作アセンブリに結合された前記イメージング器具から第１の画像データを取得するステップ；
第２のロール位置で前記遠隔操作アセンブリに結合された前記イメージング器具から後の画像データを取得するステップ；及び
前記第１のロール位置と前記第２のロール位置との間の前記イメージング器具のロール運動を前記第１の画像データ及び前記後の画像データの提示の間の遷移と整合させるステップ；を含む、
方法。
【請求項１１】
前記ロール位置インジケータに基づいて前記第１の画像データ又は前記後の画像データから回転された画像を生成するステップをさらに含む、
請求項１０に記載の方法。
【請求項１２】
前記回転された画像は、約１８０°だけ回転され、
前記第１のロール位置と前記第２のロール位置との間のロール角度は、約１８０°である、
請求項１０又は１１に記載の方法。
【請求項１３】
前記イメージング器具は、第１及び第２の画像ソースを含む立体イメージング器具であり、
前記第１の画像データ及び前記後の画像データの前記提示の間の前記遷移は、前記第１の画像ソース及び前記第２の画像ソースを交換することを含む、
請求項１０乃至１２のいずれか１項に記載の方法。
【請求項１４】
前記第１の画像データ又は前記後の画像データの一方からの回転された画像及び前記第１の画像データ又は前記後の画像データの他方からの回転されていない画像を含む一連の画像を生成するステップをさらに含む、
請求項１０乃至１３のいずれか１項に記載の方法。
【請求項１５】
前記第１のロール位置と前記第２のロール位置との間の第３のロール位置で前記遠隔操作アセンブリに結合された前記イメージング器具から第３の画像データを取得するステップをさらに含み、前記一連の画像は、前記第３の画像データから生成された画像を含む、
請求項１４に記載の方法。
【請求項１６】
前記ロール位置インジケータに基づいて前記第１の画像データ又は前記後の画像データから回転動画を生成するステップをさらに含む、
請求項１０乃至１５のいずれか１項に記載の方法。
【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
管が外科手術器具の作業端部に近接する領域内にあるか否かを決定するために使用される外科手術システムであって、
外科手術器具の作業端部に配置される少なくとも一つの発光体にして、少なくとも二つの異なる波長の光を発するように適合される少なくとも一つの発光体と、
外科手術器具の作業端部における前記少なくとも一つの発光体とは反対側に配置される少なくとも一つの光センサにして、少なくとも二つの異なる波長で光を検出するように適合される少なくとも一つの光センサと、
少なくとも一つの光センサに接続されるコントローラにして、少なくとも二つの異なる波長で吸収される光の比率を決定するように適合されるコントローラとを備え、
前記コントローラは、前記少なくとも一つの光センサにより検出した光に基づいて、外科手術器具の作業端部に近接する領域内においてアーティファクトの特有の脈動を決定し、かつ、前記比率及び前記特有の脈動に基づいて前記アーティファクトが管であるか否かを表示するように適合される外科手術システム。
【請求項２】
前記コントローラはプロセッサ及びメモリを備え、前記プロセッサは、少なくとも二つの異なる波長で吸収される光の比率を決定し、少なくとも一つの光センサにより検出された光に基づいて、外科手術器具の作業端部に近接する領域内におけるアーティファクトの特有の脈動を決定し、かつ、前記比率及び前記特有の脈動に基づいてアーティファクトが管であるか否かを表示するようにプログラムされる請求項１に記載の外科手術システム。
【請求項３】
前記コントローラは、少なくとも二つの異なる波長で吸収される光の比率を決定し、前記少なくとも一つの光センサにより検出された光に基づいて、外科手術器具の作業端部に近接する領域内におけるアーティファクトの特有の脈動を決定し、かつ、前記比率及び前記特有の脈動に基づいて前記アーティファクトが尿管であるか否かを表示するように適合される請求項１に記載の外科手術システム。
【請求項４】
前記少なくとも一つの光センサは、可視範囲の光を検出するように適合される第１光センサと、近赤外範囲の光を検出するように適合される第２光センサとを備える請求項３に記載の外科手術システム。
【請求項５】
前記第１光センサは、６６０ｎｍの光を検出するように適合され、前記第２光センサは８１０ｎｍの光を検出するように適合される請求項４に記載の外科手術システム。
【請求項６】
前記少なくとも一つの光センサは、可視範囲の光を検出するように適合される第１光センサと、近赤外範囲を超える赤外範囲の光を検出するように適合される第２光センサとを備える請求項３に記載の外科手術システム。
【請求項７】
前記第２光センサは、１４００ｎｍ〜１９００ｎｍの光を検出するように適合される請求項６に記載の外科手術システム。
【請求項８】
前記コントローラはプロセッサ及びメモリを備え、前記プロセッサは、少なくとも二つの異なる波長で吸収される光の比率を決定し、少なくとも一つの光センサにより検出された光に基づいて、外科手術器具の作業端部に近接する領域内におけるアーティファクトの特有の脈動を決定し、かつ、前記比率及び前記特有の脈動に基づいてアーティファクトが尿管であるか否かを表示するようにプログラムされる請求項３〜７のいずれか１項に記載の外科手術システム。
【請求項９】
作業端部を有する外科手術器具を更に備える請求項３〜８のいずれか１項に記載の外科手術システム。
【請求項１０】
前記外科手術器具は熱結紮装置である請求項９に記載の外科手術システム。
【請求項１１】
尿管が外科手術器具の作業端部に近接する領域内にあるか否かを決定する方法であって、
外科手術器具の作業端部で少なくとも二つの異なる波長の光を発すること、
外科手術器具の作業端部で少なくとも二つの異なる波長の光を感知すること、
前記少なくとも二つの異なる波長で吸収される光の比率を決定すること、
前記少なくとも一つの光センサにより検出された光に基づいて、外科手術器具の作業端部に近接する領域内におけるアーティファクトの特有の脈動を決定すること、及び、
前記比率及び前記特有の脈動に基づいて、外科手術器具の作業端部に近接する領域内におけるアーティファクトが尿管であるか否かを表示することを含む方法。
【請求項１２】
色素を投与することを更に含み、
少なくとも二つの異なる波長の光を感知することは、可視範囲の第１波長及び近赤外範囲の第２波長の光を感知することを含む請求項１１に記載の方法。
【請求項１３】
色素を投与することは、手術中ずっと静脈内に色素を連続的に投与することを含む請求項１２に記載の方法。
【手続補正書】
【提出日】平成30年3月8日(2018.3.8)
【手続補正１】
【補正対象書類名】特許請求の範囲
【補正対象項目名】全文
【補正方法】変更
【補正の内容】
【特許請求の範囲】
【請求項１】
手術野の画像をユーザに表示するように構成される画像ディスプレイであって、第１の波長範囲の光を放射するように構成される、画像ディスプレイ、
第２の波長範囲の光を放射するように且つ前記ユーザの右目の第１の注視点に関するデータを測定するように構成される、右目追跡装置、
前記第２の波長範囲の光を放射するように且つ前記ユーザの左目の第２の注視点に関するデータを測定するように構成される、左目追跡装置、
前記画像ディスプレイと前記ユーザの前記右目及び前記左目との間に配置される光学アセンブリであって、前記右目追跡装置及び前記左目追跡装置が前記ユーザに見えることなしに、前記第１及び前記第２の波長範囲の光が、前記左目と前記画像ディスプレイとの間の左光学経路の少なくとも一部を共有し且つ前記右目と前記画像ディスプレイとの間の右光学経路の少なくとも一部を共有するように、前記第１及び前記第２の波長範囲の光を導くように構成される、光学アセンブリ、及び
前記ユーザの前記注視点が向けられている表示される画像における視点を決定するために前記第１の注視点及び前記第２の注視点に関する前記データを処理するように構成される、少なくとも１つのプロセッサ、を有する、
視標追跡システム。
【請求項２】
前記光学アセンブリは、前記第１の波長範囲の前記光を反射するように且つ前記第２の波長範囲の前記光の通過を可能にするように構成されるビームスプリッタを含む、
請求項１に記載の視標追跡システム。
【請求項３】
前記ビームスプリッタはダイクロックミラーを含む、
請求項２に記載の視標追跡システム。
【請求項４】
前記光学アセンブリはさらに、前記ビームスプリッタから反射された光を受けるように構成されるミラーを含む、
請求項２に記載の視標追跡システム。
【請求項５】
前記右目追跡装置は右立体イメージング装置を含み、前記左目追跡装置は左立体イメージング装置を含む、
請求項１に記載の視標追跡システム。
【請求項６】
前記右及び前記左立体イメージング装置は、それぞれ、複数の視標追跡カメラを含む、
請求項１に記載の視標追跡システム。
【請求項７】
前記少なくとも１つのプロセッサは、一定の瞳孔間距離に対応する一定の要因に基づいて視点を決定するために前記第１の注視点及び前記第２の注視点に関する前記データを処理するように構成される、
請求項１に記載の視標追跡システム。
【請求項８】
前記右目追跡装置は、前記右目の２Ｄ角膜反射データを検出するように構成され、前記左目追跡装置は、前記左目の２Ｄ角膜反射データを検出するように構成される、
請求項１に記載の視標追跡システム。
【請求項９】
前記右目追跡装置は、前記右目の２Ｄ瞳孔位置データを検出するように構成され、前記左目追跡装置は、前記左目の２Ｄ瞳孔位置データを検出するように構成される、
請求項１に記載の視標追跡システム。
【請求項１０】
前記右目追跡装置及び前記左目追跡装置は、前記ユーザの頭の特徴部に対応する固定基準点に関する位置データを追跡するように構成される、
請求項１に記載の視標追跡システム。
【請求項１１】
前記少なくとも１つのプロセッサは、前記固定基準点に関する前記位置データに基づいて前記視点を決定するために、前記第１の注視点及び前記第２の注視点に関する前記データを処理し且つ前記ユーザの頭の運動を補償するように構成される、
請求項１０に記載の視標追跡システム。
【請求項１２】
前記光学アセンブリは、前記画像ディスプレイからの前記第１の波長範囲の前記光を反射するように且つ前記第２の波長範囲の前記光を透過するように構成される、
請求項１に記載の視標追跡システム。
【手続補正書】
【提出日】平成30年3月22日(2018.3.22)
【手続補正１】
【補正対象書類名】特許請求の範囲
【補正対象項目名】全文
【補正方法】変更
【補正の内容】
【特許請求の範囲】
【請求項１】
−  シャフト領域と、
−  遠位で前記シャフト領域に隣接するスネア領域のスネア構造（１）であって、該スネア構造（１）は、遠位開放スネアを形成する開放位置から引っ張って閉鎖可能であり、前記スネア構造（１）の開放位置において、遠位前方に且つ半径方向外側に放射形状で延在してスネアを形成する複数の柔軟性屈曲チューブ（３１、３２、３３）を有し、該複数の柔軟性屈曲チューブの遠位端（４１、４２、４３）は前記スネア構造（１）を引っ張って閉鎖するように半径方向内側に互いの方へ移動可能である、スネア構造と、
−  複数の締め縄状ワイヤ（５１、５２、５３）であって、該複数の締め縄状ワイヤの各々は、第１ベース部分（６ａ）が前記シャフト領域から屈曲チューブ（３１、３２、３３）の１つを緩やかに通って該屈曲チューブの遠位端（４１、４２、４３）まで延在し、該遠位端から締め縄状アーチ（６ｂ）が同一の又は別の屈曲チューブ（３１、３２、３３）の遠位端（４１、４２、４３）まで延在し、該遠位端から第２ベース部分（６ｃ）が前記同一の又は別の屈曲チューブ（３１、３２、３３）を緩やかに通って前記シャフト領域まで戻り、前記締め縄状ワイヤの前記第１ベース部分及び前記第２ベース部分（６ａ、６ｃ）の少なくとも１つが各屈曲チューブ（３１、３２、３３）を通って延在する、複数の締め縄状ワイヤと、
を有し、
前記締め縄状ワイヤ（５１、５２、５３）の少なくとも１つの前記締め縄状アーチ（６ｂ）が、少なくとも２つの屈曲チューブの円周方向間隔の円周方向長さで、前記スネア構造（１）の円周方向に延在する、
スネア器具（１３）において、
各々の締め縄状ワイヤ（５１、５２、５３）の前記第１ベース部分及び前記第２ベース部分（６ａ、６ｃ）の双方が、同一の方向に且つ同期して軸方向に移動可能となるように配置されると共に、前記屈曲チューブ（３１、３２、３３）内を案内されることを特徴とするスネア器具。
【請求項２】
前記締め縄状アーチ（６ｂ）が交差締め縄状構造を形成し、少なくとも１つの締め縄状アーチが第１の部分において第１の他の締め縄状アーチの前方に延在し、第２の部分において前記第１の他の締め縄状アーチの後方又は第２の他の締め縄状アーチの後方に延在することをさらに特徴とする請求項１に記載のスネア器具。
【請求項３】
前記締め縄状ワイヤ（５１、５２、５３）の少なくとも１つの前記締め縄状アーチ（６ｂ）が、前記スネア構造（１）の前記円周方向において、前記スネア構造（１）の前記円周方向長さに等しい円周方向長さで、延在することをさらに特徴とする請求項１又は２に記載のスネア器具。
【請求項４】
前記締め縄状ワイヤの前記第１ベース部分及び前記第２ベース部分（６ａ、６ｃ）の少なくとも２つが、互いに接続されて、前記屈曲チューブ（３１、３２、３３）の少なくとも１つの中に延在することをさらに特徴とする請求項１〜３のいずれか一項に記載のスネア器具。
【請求項５】
前記屈曲チューブ（３１、３２、３３）の少なくとも１つが、らせん状ばねチューブ（１４１、１４２、１４３）によって形成されることをさらに特徴とする請求項１〜４のいずれか一項に記載のスネア器具。
【請求項６】
ちょうど１つの締め縄状ワイヤの前記第１ベース部分及び前記第２ベース部分（６ａ、６ｃ）が前記屈曲チューブ（３１、３２、３３）の少なくとも１つの中に延在することをさらに特徴とする請求項１〜５のいずれか一項に記載のスネア器具。
【請求項７】
前記締め縄状ワイヤ（５１、５２、５３）が、前記シャフト領域の全体を通って器具の近位制御領域まで延在するプルロッド（９）の遠位端に結合される接続部位まで近位に延在するか、又は、前記締め縄状ワイヤ（５１、５２、５３）が、前記シャフト領域の全体を通って前記器具の近位制御領域まで近位に延在することをさらに特徴とする請求項１〜６のいずれか一項に記載のスネア器具。
【請求項８】
前記スネア構造（１）が柔軟性捕捉用網構造（１３１）を有し、該柔軟性捕捉用網構造が、前記屈曲チューブ（３１、３２、３３）によって形成される捕捉空間内に配置され、且つ、前記屈曲チューブに保持されることをさらに特徴とする請求項１〜７のいずれか一項に記載のスネア器具。
【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
電動歯ブラシのためのブラシヘッドアセンブリであって、
毛板と、
１又は複数の部分において前記毛板にマウントされた複数の毛をそれぞれ持つ少なくとも２つの毛束からなる毛のセットと、
を有し、
前記毛は、前記毛束が、前記毛板の一の部分において、双極性運動、Ｓ字型運動、又は、二次の動きで動く一方、前記毛束が、前記毛板の少なくとも１つの他の部分において、単極性運動、Ｃ字型運動、又は、一次の動きで動くように、共振周波数を有する、ブラシヘッドアセンブリ。
【請求項２】
前記毛のセットにおける前記毛束の長さが異なっている、請求項１記載のブラシヘッドアセンブリ。
【請求項３】
前記毛束が、前記毛板における穴にマウントされることにより、前記毛板に固定される、請求項１記載のブラシヘッドアセンブリ。
【請求項４】
前記毛板が、前記ブラシヘッドを硬化するための積層繊維を更に含む、請求項１記載のブラシヘッドアセンブリ。
【請求項５】
前記積層繊維が、前記ブラシヘッドの主軸に対して平行に配置されている、請求項４記載のブラシヘッドアセンブリ。
【請求項６】
請求項１記載のブラシヘッドアセンブリと、
給電アセンブリと、
を有し、
前記給電アセンブリが、音波範囲の周波数において選択される駆動周波数で前記ブラシヘッドアセンブリを駆動する場合、前記毛板の前記一の部分における毛束が、単極性運動、Ｃ字型運動、又は、一次の動きで動く一方、前記毛束が、前記少なくとも１つの他の部分において、双極性運動、Ｓ字型運動、又は、二次の動きで動く、電動歯ブラシ。
【請求項７】
前記他の部分における前記毛束の動きが、前記一の部分における前記毛束の動きと同期していない、請求項６記載の電動歯ブラシ。
【請求項８】
前記他の部分における前記毛束の動きが、前記一の部分における前記毛束の動きと同期している、請求項６記載の電動歯ブラシ。
【請求項９】
更に他の部分における前記毛束が、前記一の部分又は前記他の部分の少なくとも１つにおける前記毛束とは異なって動く、請求項６記載の電動歯ブラシ。
【請求項１０】
前記更に他の部分における前記毛束の動きが、前記一の部分又は前記他の部分の少なくとも１つにおける前記毛束の動きと同期していない、請求項９記載の電動歯ブラシ。
【請求項１１】
前記更に他の部分における前記毛束の動きが、前記一の部分又は前記他の部分の少なくとも１つにおける前記毛束の動きと同期している、請求項９記載の電動歯ブラシ。
【請求項１２】
前記駆動周波数が、１００Ｈｚ乃至３００Ｈｚの範囲にある、請求項６記載の電動歯ブラシ。
【請求項１３】
前記毛束が、前記電動歯ブラシの動作の間、互いに接触しないように配置される、請求項６記載の電動歯ブラシ。
【手続補正書】
【提出日】平成30年3月7日(2018.3.7)
【手続補正１】
【補正対象書類名】特許請求の範囲
【補正対象項目名】全文
【補正方法】変更
【補正の内容】
【特許請求の範囲】
【請求項１】
組織領域において提供される血液のヘモグロビンの変動の光学センシングに関する装置であって、
第１の波長の第１の光学信号及び第２の波長の第２の光学信号を組織領域の方へ送信する少なくとも１つの光学放射線源であって、前記第１の波長及び第２の波長の間の血液のヘモグロビンの波長依存の吸収係数の変化が、透過の間、前記第１及び第２の光学信号に影響する組織の波長依存の吸収係数の対応する変化から５０ｃｍ−１以上異なる一方、前記第１及び第２の波長の間の差は、３０ｎｍより大きくない、少なくとも１つの光学放射線源と、
前記組織領域において反射又はこれを通り透過される前記第１の光学信号の第１の部分、及び前記組織領域において反射又はこれを通り透過される前記第２の光学信号の第２の部分を検出する少なくとも１つの光学放射線検出器と、
前記組織によりもたらされる不必要な要素が増幅及び後続の信号処理の前に抑制されるよう、前記第１の光学信号の前記第１の部分の所定の要素及び前記第２の光学信号の所定の要素をフィルタリングする少なくとも１つのフィルタとを有する、装置。
【請求項２】
前記少なくとも１つの光学放射線源が、２０ｎｍ未満の分離を持つ前記第１及び第２の波長を生成するよう構成される、請求項１に記載の装置。
【請求項３】
前記第１及び第２の光学信号の振幅を所定の周波数でアウトオブフェーズに変調するモジュレータを更に有し、前記少なくとも１つのフィルタが、前記第１及び第２の部分の前記不必要な要素としてＤＣ要素を除去するコンデンサ又はＤＣ回復ループを有する、請求項１に記載の装置。
【請求項４】
前記モジュレータが、前記所定の周波数でオン／オフに交互に切替えられるよう前記第１及び第２の光学信号を変調するよう構成される、請求項３に記載の装置。
【請求項５】
前記第１及び第２の波長が、琥珀又は青の波長領域から選択される、請求項１に記載の装置。
【請求項６】
前記所定の周波数と異なる更なる所定の周波数により、前記第１及び第２の光学信号の振幅を変調する更なるモジュレータを更に有し、これにより、前記第１及び第２の部分における運動要素を得るため、前記第１及び第２の光学信号の強度のアンバランスがもたらされる、請求項３に記載の装置。
【請求項７】
前記少なくとも１つのフィルタが、前記第１の波長をフィルタリングし、前記少なくとも１つの光学放射線検出器の第１の光学放射線検出器に前記フィルタリングされた出力信号を供給する第１の帯域通過フィルタと、前記第２の波長をフィルタリングし、前記少なくとも１つの光学放射線検出器の第２の光学放射線検出器に前記フィルタリングされた出力信号を供給する第２の帯域通過フィルタとを有し、前記装置は、前記第１及び第２の光学放射線検出器により生成された電気的出力信号を互いに減算するよう構成される、請求項１に記載の装置。
【請求項８】
前記少なくとも１つの光学放射線源が、第３の波長の第３の光学信号を生成するよう構成され、前記第１、第２及び第３の光学波長は、前記第２の波長での前記組織の波長依存の吸収の値が、前記第１及び第３の波長での前記組織の波長依存の吸収の値の平均に等しいよう選択され、前記少なくとも１つのフィルタが、前記第２の波長のみをフィルタリングし、前記少なくとも１つの光学放射線検出器の第１の光学放射線検出器に前記フィルタリングされた出力信号を供給する第１のフィルタと、前記第１及び第３の波長のみをフィルタリングし、前記少なくとも１つの光学放射線検出器の第２の光学放射線検出器に前記フィルタリングされた出力信号を供給する第２のフィルタとを有し、前記装置は、前記不必要な要素を抑制するため、前記第１及び第２の光学放射線検出器により生成される電気的出力信号を互いに減算するよう構成される、請求項１に記載の装置。
【請求項９】
前記少なくとも１つの光学放射線源が、前記第１の光学信号を生成する第１の光学放射線源と前記第２の光学信号を生成する第２の光学放射線源とを有し、前記装置が、前記不必要な要素の検出された残余量に基づき、前記第１及び第２の光学放射線源を制御するフィードバックループを更に有する、請求項７又は８に記載の装置。
【請求項１０】
前記不必要な要素の検出された残余量に応じてフィードバックループにより生成される制御信号に基づき、前記第１及び第２の光学放射線検出器の前記電気的出力信号の比率を調整するよう制御可能な電流デバイダを更に有する、請求項７又は８に記載の装置。
【請求項１１】
前記減算された電気的出力信号の結果として生じる信号を増幅する切替えられる積分器増幅器を更に有する、請求項７又は８に記載の装置。
【請求項１２】
前記切替えられる積分器増幅器が、電流対時間変換回路において提供される、請求項１１に記載の装置。
【請求項１３】
前記第１及び第２の光学放射線検出器が、サイズ及び／又は感度によりスケール化される、請求項１１に記載の装置。
【請求項１４】
組織領域において提供される血液のヘモグロビンの変動の光学センシングの方法において、
少なくとも１つの光学放射線源により、第１の波長の第１の光学信号及び第２の波長の第２の光学信号を組織領域の方へ送信するステップと、
前記第１の波長及び第２の波長の間の血液のヘモグロビンの波長依存の吸収係数の変化が、透過の間、前記第１及び第２の光学信号に影響する組織の波長依存の吸収係数の対応する変化から５０ｃｍ−１以上異なる一方、前記第１及び第２の波長の間の差は、３０ｎｍより大きくないよう、前記第１及び第２の波長を選択するステップと、
少なくとも１つの光学放射線検出器により、前記組織領域において反射又はこれを通り透過される前記第１の光学信号の第１の部分、及び前記組織領域において反射又はこれを通り透過される前記第２の光学信号の第２の部分を検出するステップと、
少なくとも１つのフィルタにより、前記組織により生じる不必要な要素が増幅及び後続の信号処理の前に抑制されるよう、前記第１の光学信号の前記第１の部分の所定の要素及び前記第２の光学信号の所定の要素をフィルタリングするステップとを有する、方法。
【手続補正書】
【提出日】平成30年5月2日(2018.5.2)
【手続補正１】
【補正対象書類名】特許請求の範囲
【補正対象項目名】全文
【補正方法】変更
【補正の内容】
【特許請求の範囲】
【請求項１】
処置面と、蒸気が放出される開口と、を有する底板と、
蒸気生成面と、加熱器と、を有する蒸気生成ユニットであって、前記蒸気生成面に液体が蒸気に変換されるべく供給され、前記加熱器は、前記蒸気生成ユニットを加熱するためのものであり、前記蒸気生成ユニットは、前記底板に接触し、前記加熱器からの熱を前記底板に伝達し、前記処置面は、前記蒸気生成面と熱的に導通している、蒸気生成ユニットと、
を有する、スチーマヘッドであって、前記蒸気生成面は、前記処置面が垂直に向けられたときに、前記液体が、前記蒸気生成面へと下降し、前記蒸気生成面を流れて、前記蒸気生成面に沿って前記処置面へと及び前記開口を通って流れる蒸気に変換されることが可能となるような、前記処置面に対する角度で、前記処置面から延在し、を持つ、スチーマヘッド。
【請求項２】
前記角度は、７５度と１５０度との間である、請求項１に記載のスチーマヘッド。
【請求項３】
前記角度は、１３５度以下である、請求項２に記載のスチーマヘッド。
【請求項４】
前記角度は、９０度以上である、請求項２に記載のスチーマヘッド。
【請求項５】
前記蒸気生成面の少なくとも一部が平坦である、請求項１乃至４のいずれか一項に記載のスチーマヘッド。
【請求項６】
前記蒸気生成面は、前記処置面が垂直に向けられたときに、上方向を向く方向に向けられる、請求項１乃至５のいずれか一項に記載のスチーマヘッド。
【請求項７】
前記蒸気生成面から延在する突出部を更に有する、請求項１乃至６のいずれか一項に記載のスチーマヘッド。
【請求項８】
前記加熱器は、前記蒸気生成面と熱的に導通した、請求項１乃至７のいずれか一項に記載のスチーマヘッド。
【請求項９】
前記処置面は、前記蒸気生成面に対して所定の温度差を持つよう構成され、好適には、前記スチーマヘッドは、所定の熱伝導率及び厚さを持つ材料の層を有する、請求項１乃至８のいずれか一項に記載のスチーマヘッド。
【請求項１０】
前記底板と前記蒸気生成ユニットとが一体的に形成された又は互いに締結された、請求項１乃至９のいずれか一項に記載のスチーマヘッド。
【請求項１１】
前記蒸気生成ユニットは、前記底板に着脱可能に装着可能である、請求項１乃至１０のいずれか一項に記載のスチーマヘッド。
【請求項１２】
前記処置面は平坦である、請求項１乃至１１のいずれか一項に記載のスチーマヘッド。
【請求項１３】
前記スチーマヘッドは、前記蒸気生成面に前記液体を供給するための液体出口を更に有し、前記液体出口は、前記処置面が垂直に向けられたときに、前記蒸気生成面よりも上に配置され、前記液体が重力によって前記蒸気生成面へと下降することを可能とするよう構成された、請求項１乃至１２のいずれか一項に記載のスチーマヘッド。
【請求項１４】
ハンドル部であって、前記ハンドル部が動作位置にあるときに、前記処置面が略垂直に配置されるように、前記スチーマヘッドの向きを定めるよう構成されたハンドル部を更に有する、請求項１乃至１３のいずれか一項に記載のスチーマヘッド。
【請求項１５】
請求項１乃至１４のいずれか一項に記載のスチーマヘッドを有する、蒸気装置。
【手続補正書】
【提出日】平成30年5月16日(2018.5.16)
【手続補正１】
【補正対象書類名】特許請求の範囲
【補正対象項目名】全文
【補正方法】変更
【補正の内容】
【特許請求の範囲】
【請求項１】
電気的神経調節を適用して急性心不全を治療するためのカテーテルであって、
第１の端部及び第２の端部を有する細長本体であって、該細長本体は、該細長本体の前記第１の端部及び前記第２の端部を貫通して延在する細長ラジアル軸を含み、第１の平面が前記細長ラジアル軸を通って延在する、細長本体と、
前記細長本体から延在する少なくとも２つの細長刺激部材であって、該少なくとも２つの細長刺激部材はそれぞれ、前記第１の平面によって少なくとも部分的に画定される第１の体積部の中に湾曲する、少なくとも２つの細長刺激部材と、
前記少なくとも２つの細長刺激部材のそれぞれの上にある少なくとも１つの電極であって、該少なくとも１つの電極は前記第１の体積部内に電極アレイを形成する、少なくとも１つの電極と、
前記細長刺激部材のそれぞれを貫通して延在する導電性要素であって、該導電性要素は前記電極アレイ内の前記少なくとも１つの電極のうちの２つ以上の組み合わせに電流を流す、導電性要素と、
前記細長本体から延び、前記第１の平面によって少なくとも部分的に画定され、前記第１の体積部の反対側にある第２の体積部の中へと延在するアンカー部材であって、電極を含まないアンカー部材と、
を備える、カテーテル。
【請求項２】
第２の平面が前記細長本体の前記細長ラジアル軸に沿って前記第１の平面と垂直に交わり、前記第１の体積部を第１の四分体積部及び第２の四分体積部に分割し、前記少なくとも２つの細長刺激部材は第１の細長刺激部材及び第２の細長刺激部材を含み、前記第１の細長刺激部材は前記第１の四分体積部の中に湾曲し、前記第２の細長刺激部材は前記第２の四分体積部の中に湾曲する、請求項１に記載のカテーテル。
【請求項３】
センサーと、
前記細長本体を貫通して延在し、前記センサーからの電気的信号を伝導するセンサー導電性要素と、
をさらに備える、請求項１又は２に記載のカテーテル。
【請求項４】
前記センサーは、血中酸素センサー、圧力センサー、及び集積回路のうち少なくとも１つを含む、請求項３に記載のカテーテル。
【請求項５】
前記センサーは、圧力センサーを含む、請求項３又は４に記載のカテーテル。
【請求項６】
前記少なくとも２つの細長刺激部材の間に延在する構造と、
前記構造上に位置決めされる更なる電極と、
をさらに備え、
該更なる電極は、該更なる電極から前記細長刺激部材のうちの１つを貫通して延在する導電性要素を有し、該導電性要素は、前記更なる電極と、前記少なくとも２つの細長刺激部材のそれぞれの上にある前記少なくとも１つの電極のうちの少なくとも１つとの組み合わせに電流を流す、請求項１〜５のいずれか一項に記載のカテーテル。
【請求項７】
前記構造は、間に開口のパターンを形成するように接続される可撓性ストランドを含む、請求項６に記載のカテーテル。
【請求項８】
前記更なる電極は、前記ストランドの接続に存在する、請求項７に記載のカテーテル。
【請求項９】
前記可撓性ストランドは、絶縁材料を含む、請求項７に記載のカテーテル。
【請求項１０】
前記少なくとも２つの細長刺激部材は、前記第１の体積部の中のみで湾曲し、前記第２の体積部は、電極を含まない、請求項１〜９のいずれか一項に記載のカテーテル。
【請求項１１】
前記少なくとも２つの細長刺激部材はそれぞれ、刺激部材細長本体と、前記細長本体及び前記刺激部材細長本体を貫通して長手方向に延在するワイヤとを含み、該ワイヤによって前記刺激部材細長本体の遠位端又は該遠位端の付近において該刺激部材細長本体に対し加えられる圧力によって、前記ワイヤは歪み、前記第１の平面によって少なくとも部分的に画定される前記第１の体積部の中への前記少なくとも２つの細長刺激部材のそれぞれの前記湾曲を与える、請求項１〜１０のいずれか一項に記載のカテーテル。
【請求項１２】
前記細長本体は、該細長本体の前記第１の端部から前記第２の端部を貫通して延在する第１の内腔と、
第１の端部と、該第１の端部より遠位にあるバンパー端とを有する細長ゲージ本体を有する位置決めゲージとを含み、
前記バンパー端は、前記細長ラジアル軸に対して垂直に切り取られた前記細長本体の前記遠位端の表面積以上の表面積を有する形状を有し、
前記細長ゲージ本体は、前記細長本体の前記第２の端部を越えて前記バンパー端を位置決めするために、前記細長本体の前記第１の内腔を貫通して延在し、
前記位置決めゲージの前記第１の端部は前記細長本体の前記第１の端部から延在し、前記細長ゲージ本体は、前記細長本体の前記第２の端部と前記位置決めゲージの前記バンパー端との間の長さを示すマーキングを有する、請求項１〜１１のいずれか一項に記載のカテーテル。
【請求項１３】
カテーテルシステムであって、
請求項１〜１２のいずれか一項に記載のカテーテルと、
内腔を有する肺動脈カテーテルと、
を備え、前記カテーテルは前記肺動脈カテーテルの前記内腔を貫通して延在する、カテーテルシステム。
【請求項１４】
前記肺動脈カテーテルは、
細長カテーテル本体であって、第１の端部と、第２の端部と、周囲面と、該周囲面の反対側にあり、前記細長カテーテル本体の前記第１の端部と前記第２の端部との間に延在する内腔を画定する内面とを有する、細長カテーテル本体と、
前記細長カテーテル本体の前記周囲面上にある膨張性バルーンであって、前記膨張性バルーンは、前記細長カテーテル本体の前記周囲面の一部とともに流体密封体積部を画定する内面を有するバルーン壁を有する、膨張性バルーンと、
前記細長カテーテル本体を貫通して延在する膨張内腔であって、該膨張内腔は、前記膨張性バルーンの前記流体密封体積部への第１の開口部と、該第１の開口部より近位にあり、前記バルーンを膨張及び収縮させるために前記流体密封体積部の中に流体が流動できるようにする第２の開口部とを有する、膨張内腔と、
を含む、請求項１３に記載のカテーテルシステム。
【請求項１５】
前記肺動脈カテーテルは、
前記細長カテーテル本体の前記周囲面上にある第２の膨張性バルーンであって、前記膨張性バルーンは、前記細長カテーテル本体の前記周囲面の一部とともに流体密封体積部を画定する内面を有するバルーン壁を有する、第２の膨張性バルーンと、
前記細長カテーテル本体を貫通して延在する第２の膨張内腔であって、該第２の膨張内腔は、前記第２の膨張性バルーンの第２の前記流体密封体積部への第１の開口部と、該第１の開口部より近位にあり、前記第２のバルーンを膨張及び収縮させるために前記流体密封体積部の中に流体が流動できるようにする第２の開口部とを有する、膨張内腔と、
を含む、請求項１４に記載のカテーテルシステム。